(57)【要約】      （修正有）【課題】オブジェのベースに施された装飾を確実に取り付けると共に取り外すことができ、ベースを美麗な状態で再利用することができる装飾可変のオブジェを提供する。【解決手段】無色透明のアクリル樹脂製のフラットなベース２の上に、接着作用が可能な無色透明のジェル層３を介し無色透明のそれ相当な高さを有する装飾物４を接着した。【選択図】図１
2019217722.tif 000002
【特許請求の範囲】
【請求項１】
ベースと、このベースに設けられるジェル層と、そのジェル層によってベースに接着される装飾物とからなる装飾可変のオブジェ。
【請求項２】
前記ベースおよび前記ジェル層が透光性を有する請求項１記載の装飾可変のオブジェ。
【請求項３】
前記装飾物が透光性を有するジェル層の中に設けられている請求項１記載の装飾可変のオブジェ。
【請求項４】
前記ベースが器である請求項１または２記載の装飾可変のオブジェ。
【請求項５】
前記装飾物が扁平であり、前記ベースに密着している請求項１または４記載の装飾可変のオブジェ。
【請求項６】
前記ジェル層が、流動パラフィン８０〜９５重量％、熱可塑性エラストマー５〜２０重量％の混合体である請求項１乃至５記載の装飾可変のオブジェ。
【請求項７】
中央が空洞に形成され、この空洞に液体と装飾物とが収容されている請求項４記載の装飾可変のオブジェ。
【発明の詳細な説明】
【技術分野】
【０００１】
本発明はオブジェに施されている模様あるいは装飾を簡単に変更することができる装飾可変のオブジェに関する。
【背景技術】
【０００２】
コップや瓶などの器あるいはガラス板などに転写シールで施された模様は転写シールを張り替えることにより変更することができる。しかし、転写シールはこれらに強力に貼り付いているので、簡単に剥離させ難い。器具を用いて無理に剥離させるとコップに傷が付いたりする。そのため、コップは再利用することができないという問題がある。
【先行技術文献】
【特許文献】
【０００３】
【特許文献１】実用新案登録第3204023号公報
【特許文献２】実用新案登録第3158696号公報
【発明の概要】
【発明が解決しようとする課題】
【０００４】
本発明はオブジェのベースに施された装飾を確実に取り付けると共に取り外すことができ、ベースを美麗な状態で再利用することができる装飾可変のオブジェを提供することを課題としている。
【課題を解決するための手段】
【０００５】
本発明の装飾可変のオブジェは、ベースと、このベースに設けられるジェル層と、そのジェル層によってベースに接着される装飾物とからなることを特徴としている。
【０００６】
前記ベースおよび前記ジェル層は透光性を有するのが好ましい。
【０００７】
前記装飾物は透光性を有するジェル層の中に設けられているのが好ましい。
【０００８】
前記ベースは器であるのが好ましい。
【０００９】
前記装飾物は扁平であり、前記ベースに密着しているのが好ましい。
【００１０】
前記ジェル層は、流動パラフィン８０〜９５重量％、熱可塑性エラストマー５〜２０重量％の混合体であるのが好ましい。
【００１１】
前記ベースの中央が空洞に形成され、この空洞に液体と装飾物とが収容されているのが好ましい。
【発明の効果】
【００１２】
本発明の装飾可変のオブジェは、ベースと、このベースに設けられるジェル層と、そのジェル層によってベースに接着される装飾物とからなるが、ジェル層は易剥離性を有しているので、装飾物およびジェル層はベースから簡単に剥離させることができる。したがってベースは傷付くのが防止されるので、美麗な状態で再利用することができる。
【００１３】
前記ベースおよび前記ジェル層が透光性を有する場合、装飾物がベース越しに見える。
【００１４】
前記装飾物が透光性を有するジェル層の中に設けられている場合、装飾物はジェルで包囲されているので、損傷が防止されている。
【００１５】
前記ベースが器である場合、物を収容することができる。
【００１６】
前記装飾物が扁平であり、前記ベースに密着している場合、装飾物はあたかも前記ベースに設けられているかのように見える。
【００１７】
前記ジェル層が、流動パラフィン８０〜９５重量％、熱可塑性エラストマー５〜２０重量％の混合体である場合、ジェル層は透明度がより一層、高くなるので、装飾物がきれいに見える。また、接着性を有するので、装飾物をベースに密着させることができる。
【００１８】
中央が空洞に形成され、この空洞に液体と装飾物とが収容されている場合、装飾物は浮遊して見える。したがってベース越しに浮遊している装飾物とベースに固定している装飾物が見える。
【図面の簡単な説明】
【００１９】
【図１】本発明の装飾可変のオブジェの一実施形態を示す一部切り欠き正面図である。
【図２】図１の装飾物を剥離している状態を示す断面図である。
【図３】図３ａは本発明のその他の実施形態を示す正面図であり、図３ｂは図３ａの中央縦断面図、図３ｃは図３ａの平面図である。
【図４】図４は図３の製造方法の説明図である。
【図５】本発明のその他の実施形態を示す一部切り欠き正面図である。
【図６】本発明のその他の実施形態を示す斜視図である。
【図７】本発明のその他の実施形態を示す一部切り欠き正面図である。
【発明を実施するための形態】
【００２０】
図１に示すオブジェ１は、無色透明のアクリル樹脂製のフラットなベース２の上に、接着作用が可能な無色透明のジェル層３を介し無色透明のそれ相当な高さを有する装飾物４を接着したものである。なお、ベース２は無色透明のガラス製であっても良い。しかし、ガラス製、またアクリル樹脂製であってもよい。ベース２と装飾物４はそれぞれの接着面側が平坦に形成されているのが好ましいが、多少の凹凸があってもよい。
【００２１】
ジェル層３の成分としては、たとえば流動パラフィン（ホワイトオイル）８０〜９５重量％、好ましくは８８〜９２重量％、熱可塑性エラストマー５〜２０重量％、好ましくは８〜１２重量％の混合体からなるものが用いられている。
【００２２】
熱可塑性エラストマーとしては、ポリエチレンブロックと柔軟なポリオレフィン構造のエラストマーブロックで構成された、ジブロックとトリブロックの２種類を基本とするブロック共重合体が好ましい。このような熱可塑性エラストマーは、たとえば株式会社クラレ製の水素添加スチレン系熱可塑性エラストマーであるセプトン（株式会社クラレの登録商標）が好適に用いられる。とくに非晶質で引っ張り弾性に優れていることから、セプトン＊３（ポリスチレン−ポリ（エチレン／ブチレン）ブロック−ポリスチレン）が好ましい。
【００２３】
ジェル層３には、前記主成分である流動パラフィンと熱可塑性エラストマーのほか、通常使用される添加剤、たとえば黄変を防止するＵＶパウダーなどを適宜添加してもよい。ジェル層３は、前述の材料を溶融して混合し、流動化した混合体（以下、溶融ジェルという。）の状態においてベース２と装飾物４を接着する接着剤とし使用され、後に冷やされ固化したものである。ジェル層３は、固化状態において、透明度の高い無色になり、接着が有効になる。また、易剥離性を有している。
【００２４】
装飾物４はオーバル形状をしており、それ相当の高さを有している。装飾物４は前記ジェル層３と同じく、前記溶融ジェルをオーバル形状の型に流し入れ冷やされて固化し、型から取り外したものである。また、透明度が高い無色のものである。固化した装飾物４は易剥離性を有しているので、指先などで型崩れすることなく型から取り出せる。
【００２５】
この装飾物４は柔軟性を有しつつ、自立可能な適度な硬性も有している。さらに弾性および粘着性も有している。したがって、装飾物４は型崩れが防止されている。
【００２６】
また、図示の宝飾、その他コインなど比較的軽量な装飾小物５を装飾物４の中に設けて保持することもできる。この場合、装飾小物５は透視されるので、さらに豪華なオブジェにすることができる。
この装飾物４の作り方は、溶融ジェルの中に装飾小物５を混ぜて型に流し入れてもよい。装飾小物５を所定の位置に設ける場合は、装飾小物５を設ける位置まで溶融ジェルを型に流し入れ、その上に装飾小物５を乗せ、さらに型に溶融ジェルを流し入れて固化させればよい。この装飾物４はあたかもガラス体の中に装飾小物５が埋め込まれているかのような豪華な外観を呈する。
【００２７】
前記ベース２と装飾物４は、図１に示すように、それぞれの接着する面に前記溶融ジェルを塗布して重ね合わせ、溶融ジェルが冷やされて固化することにより接着される。装飾物４はそれなりの重量になっているが、ベース２をひっくり返して下向きにしてもベース２から脱落することはない。このようにジェル層３は装飾物４とベース２との接着を確かなものにしている。
ジェル層３および装飾物４は無色透明なので、図１に示すオブジェは全体が無色透明のガラスで出来ているかのような質感となる、また、美麗な外観を呈する。
【００２８】
ジェル層３および装飾物４は前記のとおり、同じ成分からなっているので、一体化する。また、いずれも易剥離性を有すると共に弾力性および柔軟性を有している。そのため、図２に示すように、装飾物４の一方の側面を指先Ｆで押し上げると、ジェル層３は装飾物４と一体のまま引き上げられ、ベース２から簡単に剥離する。特にベースがアクリル樹脂製のものはガラス製のものよりも一層、簡単確実に剥離する。また、ジェル層３はほとんど残留しない。したがって、装飾物４をベース２から取り外す時、ベース２が損傷することはない。また、ベース２は再利用することができる。取り外されたジェル層３は加熱溶融することにより、前記の装飾部材および接着剤として再利用することができる。
【００２９】
その他の実施形態を図３乃至図７に従い説明する。
なお、これらの実施形態は、ベースである無色透明のガラス製の器１２の内面の一部あるいは全部に前記実施形態と同じ材料からなる透明度の高い無色のジェル層１３が接着状態で設けられている。そして、このジェル層１３の内面には有色の装飾部材１５が設けられている。さらに装飾部材１５を被覆すべく容器１２の内面全部に第二ジェル層１４ａが設けられている。つまり、器１２の内面にジェル層１３と、その上に装飾部材１５と第二ジェル層１４ａとからなる装飾物１４とが設けられている。
【００３０】
先ず、図３ａに示すオブジェ１については、図３ｂおよび図３ｃに示す有底円筒形の器１２の内面に接着しているジェル層１３の上に装飾部材１５が設けられている。装飾部材１５は、器１２の内周に沿い易いソフトな素材からなる比較的大ぶりの扁平の造花を使用している。
【００３１】
詳しくは図４に示すように、器１２の内面に溶融ジェルを塗布、あるいは少しずつ垂らしながら乗せてジェル層１３を形成し（Ｉ）、このジェル層１３が固化する前の柔らかい状態において、ジェル層１３の内面に装飾部材１５を重ね（II）、そして、器１２の中心に無色透明の有底円筒形の内容器１６を挿入し、内容器１６と器１２との間に溶融ジェルを流し入れ、それを固化させて第二ジェル層１４ａを形成する（III）。なお、第二ジェル層１４を固化させる時、ジェル層１３も同時に固化させる。第二ジェル層１４ａのもとの溶融ジェルは、前記ジェル層１３が固化する前に流し入れる方がジェル層１３と一体化し易いので、望ましい。しかして装飾物１４は器１２の内面に沿って設けられる。また、前記ジェル層１３と第二ジェル層１４ａとからなる合体ジェルはそれ相当の肉厚に形成される。
【００３２】
内容器１６は水などを入れることができるので、オブジェを花瓶としても使用することもできる。また、内容器を取り出した場合、第二ジェル層１４ａの内面は内容器１６によって成型されているので、凹凸の無い平滑な面に形成される。
【００３３】
上記の通り、ジェル層１３と第二ジェル層１４ａとは一体化するが、その接合部分は見えない。なお、両者の接合部の天面に溶融ジェルを流し入れて固化させれば、天面をフラットな面に形成することができるので、特に好ましい。ジェル層１３および第二ジェル層１４ａは弾性と粘着性を有し、かつ肉厚なので、例えばプリザーブドフラワーなどの花柄を挿入して保持させることができる。
【００３４】
この器１２は、図３ａ乃至図３ｃに示すように、装飾部材１５が器１２の内面に沿って設けられるので、あたかも器１２の面に模様が施されているかのように外見される。さらに、器１２と前記の肉厚の合体ジェルは一体感があるので、あたかも肉厚のガラス器かのように外見される。
【００３５】
ジェル層１３と第二ジェル層１４ａは、図３ｃに示すように指先Fなどで天面を内向きに押し当てれば、器１２から簡単に剥離するので、器１２から簡単に取り出すことができる。したがって、器１２は傷付くことがないので、再利用することができる。また、ジェル層１３および第二ジェル層１４ａについても、前記実施形態と同じように再利用することができる。
【００３６】
次に、図５に示すオブジェ１は、胴部よりも口部の周囲が狭い器１２の内面に図３ａの実施形態と同じ要領でジェル層１３(図示省略)を形成し、このジェル層１３の上に装飾部材１５をピンセットなどで摘まんで重ねる。次に、この実施形態ではジェル層１３が固化する前に器１２の中に溶融ジェルを一旦、流し入れて適当量を残すべく取り出し、器１２の内面に残った溶融ジェルを固化して第二ジェル層１４ａを形成する。そのため、第二ジェル層１４ａの内面は凹凸になっている。
【００３７】
そして、器１２の中には、ジェル層１３および第二ジェル層１４ａの成分に似た無色透明のパラフィンオイル１７を流し入れる。こうして得られたオブジェ１は、第二ジェル層１４ａとパラフィンオイル１７は馴染み易いので、両者の境界が分かり難くなっている。したがって、器１２の外からは第二ジェル層１４ａの凹凸面は見えない。また、器１２は装飾部材１５がジェル層１３を介しこの内面に密着しているので、あたかも器１２に模様が設けられているかのように見える。
【００３８】
上記のとおり、この実施形態はベースである器１２の口部が狭くなっているので、前記実施形態の口部が広い器のように内容器を入れて第二ジェル層１４ａの凹凸面を滑らかにすることは難しいが、パラフィンオイル１７を器１２に収容することによって簡単に第二ジェル層１４ａの凹凸面を分からなくしている。なお、このオブジェについてはパラフィンオイルがこぼれないように着脱自在の蓋１８を取り付けるのが好ましい。
【００３９】
この器１２に収容されているパラフィンオイル１７は簡単に流し出せ、また、ジェル層１３も易剥離性なので、第二ジェル層１４ａ諸共，指先などで取り崩しながら簡単に取り出せる。したがって器１２は傷付くのが防止されているので、再利用することができる。また、ジェル層１３および第二ジェル層１４ａについても、前記実施形態と同じように再利用することができる。
【００４０】
また、図６に示すオブジェ１は、背丈が比較的高いいわゆるシャンパングラスの形状をしている器１２に図５の実施形態と同じようにジェル層１３（図示省略）を形成し、このジェル層１３の上に装飾部材１５を接着する。この実施形態では、次にジェル層１３が固化する前に溶融ジェルを器１２の口部付近まで流し入れ、そのまま冷やして固化させる（以下、ジェル体１９という）。しかして、ジェル層１３とジェル体１９は同じ成分からなっているので、一体化し、境界がわからない状態になる。また、同じく無色透明で透明度も高い。そのため、ジェル層１３およびジェル体１９は器１２の外からは水のように見える。また、装飾部材１５はジェル層１３を介して器１２に密着しているので、器１２の面に模様が施されているかのように見える。
【００４１】
ジェル層1３およびジェル体１９は弾性と粘着性を有しているので、プリザーブドフラワー２０ａの花柄や飾りガラス玉に付いている挿し棒などを突き刺し、これを保持することができる。図示のように、オブジェ１は追加の装飾物２０が着脱自在になっているので、一層、豪華なオブジェに仕上げることができる。さらに、この追加の装飾物２０と別の装飾物に入れ替える時、ジェル層１３および第二ジェル体１９は弾性と粘着性を有しているので、追加の装飾物の抜き跡が大きく残ることは無い。また、新たに追加の装飾物の突き刺し状態を保持することができる。
この実施形態のオブジェ１は、追加の装飾部材２０を入れ替えることによりイメージの異なる外観を呈することができる。また、第一ジェル層１３は易剥離性なので、ジェル体１９諸共、器１２から簡単に取り外せる。したがって、器１２は再利用することができる。また、ジェル層１３および第二ジェル層１４ａについても、前記実施形態と同じように再利用することができる。
【００４２】
また、図７に示すオブジェ１は、比較的、丈長で、口径が狭い器１２に、図５と同じ要領でジェル層１３、装飾部材１５、そして第二ジェル層１４ａを設けている。なお、ジェル層１３は、一旦、器に溶融ジェルを流し入れたあと、器の内面に付着するように取り出して形成してもよい。装飾部材１５は器１２に収容可能な大きさのものであればよい。器１２には、この底部に適当量の溶融ジェルを流し入れて固化させてなる留め具２１およびこれに取り付けられた追加の装飾部材２０が設けられ、そして前記実施形態と同じパラフィンオイル１７が充填されている。留め具２１はパラフィンオイル１７と成分が似ているので、両者の境界は分かり難く、また、留め具２１の存在も分かり難い。さらに追加の装飾部材２０の下部は留め具２１を通して透視できる。そのため、器１２の外からはパラフィンオイル１７と追加の装飾部材２０のみが収容されているかのように見える。また、追加の装飾部材２０はパラフィンオイルの中で浮遊しているかのような揺らぎが感受される。  
【００４３】
したがって、このオブジェ１は前記実施形態と同じように模様が器１２自体に設けられているように見えると共に揺らぎ感のある追加の装飾部材２０も一緒に見えるので、動的意匠の趣を有するオブジェになっている。なお、この実施形態についても器１２の口部に着脱自在の蓋１８を設けるのが好ましい。
【００４４】
この実施形態の器についても、器を傷つけることなくジェル層を柔らかな棒状のような物で優しく取り外せるので、再利用することができる。また、ジェル層１３および第二ジェル層１４ａについても、前記実施形態と同じように再利用することができる。
【００４５】
なお、上記の図３乃至図７の装飾物１４は、ジェル層１３と装飾部材１５により形成されているが、装飾部材単体で装飾物とすることもできる。
【符号の説明】
【００４６】
１  オブジェ
２  ベース
３  ジェル層
４  装飾物
５  装飾小物
１２  器
１３  ジェル層
１４  装飾物
１４ａ  第二ジェル層
１５  装飾部材
１６  内容器
１７  パラフィンオイル
１８  蓋
１９  ジェル体
２０  追加の装飾部材
２０ａ  プリザーブドフラワー
２０ｂ  ガラス玉
２１  留め具
Ｆ  指先
【図１】
2019217722.tif 000003
【図２】
2019217722.tif 000004
【図３】
2019217722.tif 000005
【図４】
2019217722.tif 000006
【図５】
2019217722.tif 000007
【図６】
2019217722.tif 000008
【図７】
2019217722.tif 000009